(57)【要約】【課題】  様々な大きさの手荷物積載が可能な車両のラゲージフロアボックスを提供する。【解決手段】  本発明の車両のラゲージフロアボックスは、フロアパネル１０の後方で、フロア面の下方に設けられ、収納空間を提供する収納部２０及び、前記収納部２０の内部で、車両の前後方向に沿って配置されて前記収納空間を複数の収納空間に区画する少なくとも一つの隔板部材２１を含み、前記収納部２０には、前記フロアパネル１０上に設置された最後列センターシート３０を折り畳んで収納可能にしたことを特徴とする。【選択図】  図４
2008094370.tif 000002
【特許請求の範囲】
【請求項１】
フロアパネル（１０）の後方で、フロア面の下方に設けられ、収納空間を提供する収納部（２０）及び、
前記収納部（２０）の内部で、車両の前後方向に沿って配置され前記収納空間を複数の収納空間に区画する少なくとも一つの隔板部材（２１）を含み、
前記収納部（２０）には、前記フロアパネル（１０）上に設置された最後列センターシート（３０）を折り畳んで収納可能にしたことを特徴とする車両のラゲージフロアボックス。
【請求項２】
直立する前記隔板部材（２１）の上面と、
前記収納部（２０）周辺のフロアパネル（１０）によって端が支持されて、前記隔板部材（２１）によって区画された前記収納部（２０）内部の少なくとも一つの収納空間を覆うボード部材（２２）とをさらに含むことを特徴とする請求項１に記載の車両のラゲージフロアボックス。
【請求項３】
前記収納部（２０）には、前記隔板部材（２１）の転倒を防止する転倒防止手段をさらに含むことを特徴とする請求項１に記載の車両のラゲージフロアボックス。
【請求項４】
前記転倒防止手段は、前記収納部（２０）の内壁に形成され、直立する前記隔板部材（２１）の１面を支持する引掛け顎（２０ｄ）と、他面を支持するストッパ（２０ｅ）とを含むことを特徴とする請求項３に記載の車両のラゲージフロアボックス。
【請求項５】
前記収納部（２０）の底面（２４）には、前記隔板部材（２１）を回動可能に支持する少なくとも一つの折り畳み手段を含むことを特徴とする請求項３または請求項４に記載の車両のラゲージフロアボックス。
【請求項６】
前記折り畳み手段は、ヒンジ（２０ｆ）であることを特徴とする請求項５に記載の車両のラゲージフロアボックス。
【請求項７】
前記引掛け顎（２０ｄ）は、前記隔板部材（２１）が前記折り畳み手段を中心に回動が容易であるようにする半円形状の断面を有することを特徴とする請求項５に記載の車両のラゲージフロアボックス。
【請求項８】
前記ストッパ（２０ｅ）は、前記隔板部材（２１）の移動を阻止可能に形成されたことを特徴とする請求項５に記載の車両のラゲージフロアボックス。
【請求項９】
前記センターシート（３０）は、二つのの前記隔板部材（２１）との間に区画形成された収納空間に収納され、前記センターシート（３０）が収納された収納空間と異なる収納空間が前記隔板部材（２１）によって分離されることを特徴とする請求項１に記載の車両のラゲージフロアボックス。
【請求項１０】
前記収納部（２０）は、前記フロアパネル（１０）の後方に一体として延長形成されることを特徴とする請求項１に記載の車両のラゲージフロアボックス。
【発明の詳細な説明】
【技術分野】
【０００１】
本発明は、ラゲージフロアボックスに係り、特にスポーツユーティリティー車両（ＳＵＶ）のラゲージルームに装着されるフロアボックスに関する。
【背景技術】
【０００２】
近来、所得水準の全般的な向上と共に週５日勤務制の拡大に伴って、家族単位の宿泊旅行が次第に増加する傾向である。このような宿泊旅行の際、搭乗人員及び貨物の積載に限界があるセダン（ｓｅｄａｎ）型自動車より搭乗者及び貨物の輸送に好適なレジャー型車両（ＲＶ；Ｒｅｃｒｅａｔｉｏｎａｌ  Ｖｅｈｉｃｌｅ）またはスポーツユーティリティー車両（ＳＵＶ；Ｓｐｏｒｔｓ  Ｕｔｉｌｉｔｙ  Ｖｅｈｉｃｌｅ）が選ばれている。
【０００３】
ＳＵＶ車両は、宿泊旅行の際、自転車、サーフィンボード、はしご等の長い貨物を個別にまたは同時に運ぶために２列シートをフルフラット（ｆｕｌｌ  ｆｌａｔ）化してラゲージルーム（ｌｕｇｇａｇｅ  ｒｏｏｍ）を拡大し、この拡大されたラゲージルームに設置されたラゲージフロアボックスに貨物を積載して運んでいる。
【０００４】
図１は、従来のラゲージフロアボックスのカバーが開放された状態を示した斜視図で、ＳＵＶ車両に装着されているラゲージフロアボックス（Ｂ）は、単純なクレイ構造を有し、複数個の隔壁（パーティション）に区画されて品物を収納している。
【０００５】
このような従来型隔壁構造では、様々な種類と大きさの収納物を整理するための空間が不足するという短所があった。また、既存の車両トランクに装着されているラゲージボックスは、トランク自体の空間に比して空間の活用度が低い問題点があった。
【特許文献１】特開平１１−０９９９６３号公報
【発明の開示】
【発明が解決しようとする課題】
【０００６】
本発明は、前記のような従来の問題点を解決するためになされたものであって、その目的は、様々な大きさの手荷物積載が可能な車両のラゲージフロアボックスを提供することである。
本発明の他の目的は、ボードの採用により収納物の移動及び騷音を最小にし、外観の優れた車両のラゲージフロアボックスを提供することである。
【課題を解決するための手段】
【０００７】
本発明の車両のラゲージフロアボックスは、フロアパネル１０の後方で、フロア面の下方に設けられ、収納空間を提供する収納部２０及び、前記収納部２０の内部で、車両の前後方向に沿って配置され前記収納空間を複数の収納空間に区画する少なくとも一つの隔板部材２１を含み、前記収納部２０には、前記フロアパネル１０上に設置された最後列センターシート３０を折り畳んで収納可能にしたことを特徴とする。
【０００８】
また、本発明は、直立する前記隔板部材２１の上面と、前記収納部２０周辺のフロアパネル１０によって端が支持されて、前記隔板部材２１によって区画された前記収納部２０内部の少なくとも一つの収納空間を覆うボード部材２２とをさらに含み、前記収納部２０には、前記隔板部材２１の転倒を防止する転倒防止手段をさらに含むことを特徴とする。
【０００９】
前記転倒防止手段は、前記収納部２０の内壁に形成され、直立する前記隔板部材２１の１面を支持する引掛け顎２０ｄと、他面を支持するストッパ２０ｅとを含み、前記収納部２０の底面２４には、前記隔板部材２１を回動可能に支持する少なくとも一つの折り畳み手段を含み、前記折り畳み手段は、ヒンジ２０ｆであることを特徴とする。
【００１０】
前記引掛け顎２０ｄは、前記隔板部材２１が前記折り畳み手段を中心に回動が容易であるようにする半円形状の断面を有し、前記ストッパ２０ｅは、前記隔板部材２１の移動を阻止可能に形成され、前記センターシート３０は、二つのの前記隔板部材２１との間に区画形成された収納空間に収納され、前記センターシート３０が収納された収納空間と異なる収納空間が前記隔板部材２１によって分離され、前記収納部２０は、前記フロアパネル１０の後方に一体として延長形成されることを特徴とする。
【発明の効果】
【００１１】
本発明によれば、最後列センターシートの使用可否及び手荷物の大きさを考慮して、収納部内に設置される複数の隔板部材と収納空間を覆うボード部材を適切に利用して収納空間を形成させることで、一定の大きさを有する複数の収納空間が確保できる。また、ボード部材上面に様々な大きさ、形状の手荷物を保管することで空間の活用度を高めることができるほか、隔板部材により手荷物の移動や騷音を最小にするとともに、外観の向上をはかることができる。
【発明を実施するための最良の形態】
【００１２】
以下、本発明による車両のラゲージフロアボックスについて図面に基づいて説明ずる。
【実施例】
【００１３】
図２（ａ）乃至（ｃ）は、本発明の車両のラゲージフロアボックスにおけるセンターシートの使用時の収納部使用状態を示した斜視図であり、図３（ａ）及び図３（ｂ）は、センターシートを折り畳んで保管した状態を示した斜視図である。図４は、転倒防止手段と折り畳み手段を示した部分拡大斜視図である。図２（ｂ）乃至図４では、収納部空間後方の内壁部分は省略する。
【００１４】
本発明によるラゲージフロアボックスは、収納部２０と収納部２０の内部で、車両の前後方向に沿って配置される少なくとも一つ以上の隔板部材２１を含み、さらに、隔板部材２１上面によって支持される少なくとも一つ以上のボード部材２２を含む。
【００１５】
収納部２０は、図２（ａ）乃至図２（ｃ）に示したように、フロアパネル１０の後方に一体として延長形成されるが、フロア面の下方で上面が開放した形状に形成される。よって、内部に手荷物を収納することができる所定大きさの収納空間が形成される。
【００１６】
隔板部材２１は、長方形状の板で、収納部２０の内部に車両の前後方向に沿って配置（図示された実施形態では、２個）され、収納部２０の収納空間を区画するようになっている。また、図４に示すように、収納部２０の底面２４に設置された折り畳み手段であるヒンジ２０ｆにより収納部２０内部で左右に回動して底面２４に重なることや、直立することが出来るように構成される。
【００１７】
ボード部材２２は、直立状態の隔板部材２１上面と収納部２０周辺のフロアパネル１０に端部を支持され、隔板部材２１によって区画される収納部２０の複数個の収納空間のうち少なくとも一つの収納空間を覆うように設置される。このため、ボード部材２２の上面には手荷物を積置することができる。この際、ボード部材２２の固定のために別の固定手段を備えることが可能であり、収納部２０の端部に沿ってフロアパネル１０との間に段差部（図示せず）を形成して、ボード部材２２の端が段差部によって支持されるようにすることも可能である。ボード部材２２は、収納される手荷物の形状によって選択でき、収納空間を有効に活用できる。
【００１８】
また、図４に示すように、収納部２０の１面の上部に隔板部材２１の転倒防止のための転倒防止手段が設置される。転倒防止手段は、受板２０ｃ、引掛け顎２０ｄ、ストッパ（ｓｔｏｐｐｅｒ）２０ｅが一体成形されて収納部２０の内壁に固定され、隔板部材２１を挟んで片側に引掛け顎２０ｄが、他側にストッパ２０ｅが位置するようになっている。
【００１９】
引掛け顎２０ｄは、隔板部材２１の上部が引掛け顎２０ｄの外面に沿って回動出来るよう半円形状にすることが好ましい。ストッパ２０ｅは、隔板部材２１の回動を防止するために所定幅と長さを有する直方体のブロック形状に形成され、隔板部材２１の移動を阻止するようになっている。
【００２０】
一方、図３（ａ）及び図３（ｂ）に示すように、フロアパネル１０に設置された最後列センターシート（ｃｅｎｔｅｒ  ｓｅａｔ）３０は、未使用時、折り畳んでフロアパネル１０の上から収納部２０内部に収納される。  センターシート３０は、２個の隔板部材２１間の区画形成された収納空間に収納されるため、センターシート３０が収納された収納空間と異なる収納空間は隔板部材２１によって分離することができる。
【００２１】
以下、本発明の作用について説明する。
図２（ａ）は、収納部２０の底面２４から２個の隔板部材２１を直立させて収納空間を３個の収納空間に区画し、両側部の収納空間上面をボード部材２２で覆ったものである。この場合の手荷物が積置可能な収納空間は、両側部のボード部材２２上部と収納部２０の中央部空間であり、中央部収納空間には各種手荷物を入れて保管し、両側部ボード部材２２上面にかけて長い手荷物を積置することができる。
【００２２】
図２（ｂ）は、ヒンジ２０ｆを中心に隔板部材２１を回動させて収納部２０の底面２４上に重ねたもので、この収納部２０は、長さが長い一つの収納空間となり長い手荷物を収納、保管することができる。
図２（ｃ）は、隔板部材２１を直立させて、ボード部材２２を置かない状態である。この場合、収納部２０内には、３個の同一収納空間ができ、収納空間に各種手荷物を入れて保管することが可能である。
【００２３】
一方、図３（ａ）及び図３（ｂ）は、センターシート３０を折り畳んで収納部２０に収納する場合を示したものである。図３（ａ）は、隔板部材２１を立てて隔板部材２１の間にセンターシートを折り畳んで収納し、両
側部収納空間の上部には、ボード部材２２を敷いた状態である。この場合、ボード部材２２上部には長い手荷物を積置することができる。勿論、ボード部材２２で覆った収納空間内部にも手荷物を積置することが可能である。
【００２４】
図３（ｂ）は、センターシート３０が収納部２０に収納され、隔板部材２１を立てた状態を示したものである。収納部２０両側には２個の収納空間が形成され、手荷物を保管することができる。
【００２５】
隔板部材２１を立てた状態から、図４に示すように、隔板部材２１を左右に回動する場合、隔板部材の上端は、引掛け顎２０ｄの外面に沿って回動した後、ストッパ２０ｅ内側に当たってそれ以上の回動が防止される。  隔板部材を水平方向に折り重ねる場合は、隔板部材２１の上端は、引掛け顎２０ｄの外面に沿って下方向に移動する。
【００２６】
一方、図２（ａ）及び図３（ａ）において、ボード部材２２は別の固定手段（図示せず）によりフロアパネル１０に固定することが可能である。  この場合、収納部２０内の手荷物の移動や騷音を最小にすることができ、ボード部材２２により収納部２０が遮蔽されて、外観も向上する。
【００２７】
以上、本発明の好ましい実施形態について説明したが、本発明は前記実施形態に限定されず、本発明の属する技術範囲を逸脱しない範囲での全ての変更が含まれる。
【図面の簡単な説明】
【００２８】
【図１】従来ラゲージフロアボックスをカバーが開放された状態を示した斜視図である。
【図２】本発明のラゲージフロアボックスにおけるセンターシート使用時の収納部使用状態を示した斜視図である。
【図３】本発明のラゲージフロアボックスにおけるセンターシート折り畳み状態を示した斜視図である。
【図４】本発明のラゲージフロアボックスの転倒防止手段と折り畳み手段を示した部分拡大斜視図である。
【符号の説明】
【００２９】
１０…フロアパネル  
２０…収納部
２０ｃ…受板  
２０ｄ…引っ掛け顎
２０ｅ…ストッパ  
２０ｆ…ヒンジ
２１…隔板部材  
２２…ボード部材
２４  底面
３０…センターシート
【図１】
2008094370.tif 000003
【図２】
2008094370.tif 000004
【図３】
2008094370.tif 000005
【図４】
2008094370.tif 000006